(57)【要約】【課題】   単純な構造を用いて相異なるクロックの同期を有する複数のデジタル放送データを伝送することが可能なスタッフィングビットを使用した時分割多重化フレーム及びその送受信方法を提供する。【解決手段】  ＦＴＴＨ方式を使用した放送通信融合システムにおけるデジタル放送信号と通信信号を多重化するための時分割多重化フレームであって、途切れなく供給される時分割多重化フレームの開始と終わりを識別するためのフレーミングビットフィールド２０１と、各々少なくとも１ビット以上のビット数を有するように構成され、デジタル放送の多重化速度と入力速度との差によって、デジタル放送データの入力量を調節するデジタル放送信号の伝送のために割り当てられた二つのＭＰＴＳフィールド２０３，２０４と、通信データの伝送のために割り当てられた少なくとも１ビット以上のビット数を有する高速イーサネット（登録商標）フィールド２０５と、を含む。【選択図】  図２
2005218109.tif 000002
【特許請求の範囲】
【請求項１】
ＦＴＴＨ方式を使用した放送通信融合システムで、相異なる同期信号に基づく複数のデジタル放送信号と、通信信号とを多重化するための時分割多重化フレームであって、
途切れなく供給される前記時分割多重化フレームの開始と終わりを識別するためのフレーミングビットフィールドと、
デジタル放送の多重化速度と入力速度との差によって、前記デジタル放送データの入力量を調節するデジタル放送信号の伝送のために割り当てられた各々所定のビット数を有する二つのＭＰＴＳフィールドと、
通信データの伝送のために割り当てられた少なくとも１ビット以上のビット数を有する高速イーサネット（登録商標）フィールドと、
を含むことを特徴とする時分割多重化フレーム。
【請求項２】
前記それぞれのＭＰＴＳフィールドは、
前記デジタル放送信号を所定のビット単位で挿入するための前記所定のビット単位で構成された少なくとも一つ以上のデータフィールドと、
前記少なくとも一つ以上のデータフィールドに各々挿入され、前記デジタル放送信号の多重化速度と入力速度を比較するために用いられる、各々１ビットで構成された少なくとも一つ以上のスタッフィング制御フィールドと、
前記少なくとも一つ以上のスタッフィング制御フィールドの値によって、データの挿入可否が決定される１ビットで構成されたスタッフフィールドと、
前記ＭＰＴＳフィールドに割り当てられた総ビット数のうち、前記少なくとも一つ以上のデータフィールド、前記少なくとも一つ以上のスタッフィングフィールド及び前記スタッフフィールドを除外した残りのビットで構成され、前記デジタル放送信号を挿入するための剰余データフィールドと、
を含むことを特徴とする請求項１記載の時分割多重化フレーム。
【請求項３】
前記少なくとも一つ以上のスタッフィング制御フィールドは、
前記少なくとも一つ以上のデータフィールドに挿入される前記デジタル放送信号の多重化速度と入力速度を比較して、前記デジタル放送信号の入力速度が重化速度よりも速ければ、その値をアクティブするための制御値を有すること
を特徴とする請求項２記載の時分割多重化フレーム。
【請求項４】
前記剰余データフィールド及び前記スタッフフィールドは、
前記少なくとも一つ以上のスタッフィング制御フィールドのうち、アクティブされたスタッフィング制御フィールドの数が第１の数以上であれば、当該剰余データフィールドとスタッフフィールドとに前記デジタル放送信号を含めて伝送するように処理されること
を特徴とする請求項３記載の時分割多重化フレーム。
【請求項５】
前記剰余データフィールド及び前記スタッフフィールドは、
前記少なくとも一つ以上のスタッフィング制御フィールドのうち、アクティブされたスタッフィング制御フィールドの数が前記第１の数未満であり、かつ第２の数以上であれば、当該剰余データフィールドに前記デジタル放送信号を含め、当該スタッフフィールドは空けて伝送するように処理されること
を特徴とする請求項３記載の時分割多重化フレーム。
【請求項６】
前記剰余データフィールド及び前記スタッフフィールドは、
前記少なくとも一つ以上のスタッフィング制御フィールドのうち、アクティブされたスタッフィング制御フィールドの数が第２の数以下であれば、当該剰余データフィールドで１ビットを除外した残りのビットに前記デジタル放送信号を含め、当該剰余データフィールドの除外された１ビットと当該スタッフフィールドは空けて伝送するように処理されること
を特徴とする請求項３記載の時分割多重化フレーム。
【請求項７】
前記スタッフィング制御フィールドは、
前記ＭＰＴＳフィールドの前記所定のビット数ごとに交互的に(Interleaved)挿入されること
を特徴とする請求項２乃至６のいずれかに記載の時分割多重化フレーム。
【請求項８】
異なる同期信号が多重化された時分割多重化フレームを送信する方法であって、
前記時分割多重化フレームに入力されるデータを所定のビット単位に分けて前記時分割多重化フレームに挿入する第１のステップと、
前記挿入された所定のビット単位のデータの入力速度と多重化速度を比較して、該当速度の差を表示するためのスタッフィング制御フィールドを前記所定のビット単位の入力データごとに挿入する第２のステップと、
前記スタッフィング制御フィールドの値によって、前記時分割多重化フレームの最後の伝送ビットの数を調節して伝送する第３のステップと、
を含むことを特徴とする時分割多重化フレームの送信方法。
【請求項９】
前記時分割多重化フレームは、
途切れなく供給される前記多重化フレームの開始と終わりを識別するためのフレーミングビットフィールドと、
デジタル放送の多重化速度と入力速度の差によって、前記デジタル放送データの入力量を調節するデジタル放送信号の伝送のために割り当てられた各々所定のビット数を有する二つのＭＰＴＳフィールドと、
通信データの伝送のために割り当てられた少なくとも１ビット以上のビット数を有する高速イーサネット（登録商標）フィールドと、
を含むことを特徴とする請求項８記載の時分割多重化フレームの送信方法。
【請求項１０】
前記それぞれのＭＰＴＳフィールドは、
前記デジタル放送信号を所定のビット単位で挿入するための前記所定のビット単位で構成された少なくとも一つ以上のデータフィールドと、
前記少なくとも一つ以上のデータフィールドに各々挿入され、前記デジタル放送信号の多重化速度と入力速度を比較するために用いられる、各々１ビットで構成された少なくとも一つ以上のスタッフィング制御フィールドと、
前記少なくとも一つ以上のスタッフィング制御フィールドの値によって、データの挿入可否が決定される１ビットで構成されたスタッフフィールドと、
前記ＭＰＴＳフィールドに割り当てられた総ビット数のうち、前記少なくとも一つ以上のデータフィールド、前記少なくとも一つ以上のスタッフィングフィールド及び前記スタッフフィールドを除外した残りのビットで構成され、前記デジタル放送信号を挿入するための剰余データフィールドと、
を含むことを特徴とする請求項９記載の時分割多重化フレームの送信方法。
【請求項１１】
前記少なくとも一つ以上のスタッフィング制御フィールドは、
前記少なくとも一つ以上のデータフィールドに挿入される前記デジタル放送信号の多重化速度と入力速度を比較して、前記デジタル放送信号の入力速度が多重化速度よりも速ければ、その値をアクティブするための制御値を有すること
を特徴とする請求項１０記載の時分割多重化フレームの送信方法。
【請求項１２】
前記少なくとも一つ以上のスタッフィング制御フィールドのうち、アクティブされたスタッフィング制御フィールドの数が第１の数以上であれば、前記剰余データフィールドと前記スタッフフィールドとに前記デジタル放送信号を含めて伝送すること
を特徴とする請求項１１記載の時分割多重化フレームの送信方法。
【請求項１３】
前記少なくとも一つ以上のスタッフィング制御フィールドのうち、アクティブされたスタッフィング制御フィールドの数が前記第１の数未満であり、かつ第２の数以上であれば、前記剰余データフィールドに前記デジタル放送信号を含め、前記スタッフフィールドは空けて伝送すること
を特徴とする請求項１１記載の時分割多重化フレームの送信方法。
【請求項１４】
前記少なくとも一つ以上のスタッフィング制御フィールドのうち、アクティブされたスタッフィング制御フィールドの数が第２の数以下であれば、前記剰余データフィールドで１ビットを除外した残りのビットに前記デジタル放送信号を含め、当該剰余データフィールドの除外された１ビットと当該スタッフフィールドは空けて伝送すること
を特徴とする請求項１１記載の時分割多重化フレームの送信方法。
【請求項１５】
前記スタッフィング制御フィールドは、
前記ＭＰＴＳフィールドの前記所定のビット数ごとに交互的に(Interleaved)挿入されること
を特徴とする請求項１０乃至１４のいずれかに記載の時分割多重化フレームの送信方法。
【請求項１６】
複数の異なる同期信号が多重化された時分割多重化フレームを受信する方法であって、
前記時分割多重化フレームに入力されて伝送されたデータの入力速度と多重化速度を比較して、該当速度の差を表示するためのスタッフィング制御フィールドを抽出し、前記受信された時分割多重化フレームに含まれたビットの数を確認する第１のステップと、
前記確認したビット数に基づいて、受信された時分割多重化フレームから前記伝送されたデータを抽出する第２のステップと、
を含むことを特徴とする時分割多重化フレームの受信方法。
【請求項１７】
前記時分割多重化フレームは、
途切れなく供給される前記多重化フレームの開始と終わりを識別するためのフレーミングビットフィールドと、
デジタル放送の多重化速度と入力速度の差によって、前記デジタル放送データの入力量を調節するデジタル放送信号の伝送のために割り当てられた各々所定のビット数を有する二つのＭＰＴＳフィールドと、
通信データの伝送のために割り当てられた少なくとも１ビット以上のビット数を有する高速イーサネット（登録商標）(Fast Ethernet（登録商標）)フィールドと、を含むこと
を特徴とする請求項１６記載の時分割多重化フレームの受信方法。
【請求項１８】
前記ＭＰＴＳフィールドは、
前記デジタル放送信号を所定のビット単位で挿入するための前記所定のビット単位で構成された少なくとも一つ以上のデータフィールドと、
前記少なくとも一つ以上のデータフィールドに各々挿入される前記デジタル放送信号の多重化速度と入力速度を比較するために、各々１ビットで構成された少なくとも一つ以上のスタッフィング制御フィールドと、
前記少なくとも一つ以上のスタッフィング制御フィールドの値によって、データの挿入可否が決定される１ビットで構成されたスタッフフィールドと、
前記ＭＰＴＳフィールドに割り当てられた総ビット数のうち、前記少なくとも一つ以上のデータフィールド、前記少なくとも一つ以上のスタッフィングフィールド及び前記スタッフフィールドを除外した残りのビットで構成され、前記デジタル放送信号を挿入するための剰余データフィールドと、を含むこと
を特徴とする請求項１６記載の時分割多重化フレームの受信方法。
【請求項１９】
前記少なくとも一つ以上のスタッフィング制御フィールドは、
前記少なくとも一つ以上のデータフィールドに挿入される前記デジタル放送信号の多重化速度と入力速度を比較して、前記デジタル放送信号の入力速度が多重化速度よりも速ければ、その値をアクティブするための制御値を有すること
を特徴とする請求項１８記載の時分割多重化フレームの受信方法。
【請求項２０】
前記少なくとも一つ以上のスタッフィング制御フィールドのうち、アクティブされたスタッフィング制御フィールドの数が第１の数以上であれば、前記剰余データフィールドと前記スタッフフィールドには前記デジタル放送信号が入れられて伝送されること
を特徴とする請求項１９記載の時分割多重化フレームの受信方法。
【請求項２１】
前記少なくとも一つ以上のスタッフィング制御フィールドのうち、アクティブされたスタッフィング制御フィールドの数が前記第１の数未満であり、かつ第２の数以上であれば、前記剰余データフィールドは前記デジタル放送信号を含んで、前記スタッフフィールドは空けて伝送されること
を特徴とする請求項１９記載の時分割多重化フレームの受信方法。
【請求項２２】
前記少なくとも一つ以上のスタッフィング制御フィールドのうち、アクティブされたスタッフィング制御フィールドの数が第２の数以下であれば、前記剰余データフィールドで１ビットを除外した残りのビットに前記デジタル放送信号が含まれ、当該剰余データフィールドの除外分の１ビットと当該スタッフフィールドは空けて伝送されること
を特徴とする請求項１９記載の時分割多重化フレームの受信方法。
【請求項２３】
前記スタッフィング制御フィールドは、
前記ＭＰＴＳフィールドの前記所定のビット数ごとに交互的に(Interleaved)挿入されること
を特徴とする請求項１８乃至２２のいずれかに記載の時分割多重化フレームの受信方法。
【発明の詳細な説明】
【技術分野】
【０００１】
本発明は、ＦＴＴＨ(Fiber To The Home)システムに関し、より詳しくは、ＦＴＴＨシステムでデジタル放送データの伝送に適用できる時分割多重化(Time Division Multiplexing)方式のフレーム構造及びその送信／受信方法に関する。
【背景技術】
【０００２】
現在、放送サービスと通信サービスは、別々に供給されている。このような放送サービスと通信サービスの融合のための研究が、現在活発に進行されている。
【０００３】
このような放送通信融合システムとしては、双方向ＨＦＣ(Hybrid Fiber Coaxial)タイプのシステムや、ｘＤＳＬ(ｘＤＳＬ:x digital subscriber line)網を用いたＩＰ(Internet Protocol)基盤のシステム、さらにはＦＴＴＨ方式のシステムなどが提案されている。
【０００４】
この内、双方向ＨＦＣ(Hybrid Fiber Coaxial)タイプの放送通信融合システムは、同軸ケーブルを使用するため、同軸ケーブルの物理的な限界により帯域幅が制限され、サブキャリア変調方式のような複雑な変調方式を使用しなければならない、という問題点があった。
【０００５】
また、ｘＤＳＬ(ｘＤＳＬ:x digital subscriber line)網を用いたＩＰ(Internet Protocol)基盤の放送通信融合システムは、パケット単位の伝送をするために、放送サービスを途切れなく(Seamlessly)伝送することは困難であるという問題が発生する。特に、パケット単位の接続のときは、パケットの接続のための処理が必要なので、時間の遅延が発生され、リアルタイム放送サービスが適切に提供されず、すなわち、ＱｏＳ(Quality of Service)を満足させることできない。その上、ｘＤＳＬは該当伝送媒体として銅線(copper line)を使用するので、帯域幅が銅線の物理的特性により制約される問題点があった。
【０００６】
このため、広い帯域幅と速い伝送速度などの観点より、ＦＴＴＨ方式を使用した放送通信融合システムが、より脚光を浴びている。
【０００７】
このようなＦＴＴＨ方式を使用した放送通信融合システムでは、放送サービスと通信サービスとの融合のために、ＴＤＭ方式の伝送方式を使用する。ここで、ＴＤＭ伝送方式は、複数個のタイムスロットを確保してそれぞれのタイムスロットに所望のデータを含めて伝送する方式であり、タイムスロットと関連する処理が適切に遂行されれば、放送ストリームを途切れなく伝送することができる。
【０００８】
ＴＤＭ方式の伝送技術を使用してＦＴＴＨ方式のデジタル放送を伝送する場合には、伝送データ(data unit)間の同期を取ることが非常に重要な技術的課題となる。
【０００９】
特に、デジタル放送では、それぞれの放送プロバイダー、または放送プログラムによって、その伝送クロックの同期が異なることができるが、このような様々なクロック信号が入力される場合、これらの間の同期を取るためのＴＤＭフレーム構造についての研究が必要な実情である。
【発明の開示】
【発明が解決しようとする課題】
【００１０】
したがって、本発明の目的は、単純な構造を用いて相異なる同期クロックを有する複数のデジタル放送データを伝送することが可能なスタッフィングビットを使用した時分割多重化フレーム及びその送受信方法を提供することにある。
【課題を解決するための手段】
【００１１】
この目的を達成するための本発明は、ＦＴＴＨ方式を使用した放送通信融合システムで、相異なる同期信号に基づく複数のデジタル放送信号と、通信信号とを多重化するための時分割多重化フレームであって、途切れなく供給される前記時分割多重化フレームの開始と終わりを識別するためのフレーミングビットフィールドと、デジタル放送の多重化速度と入力速度との差によって、前記デジタル放送データの入力量を調節するデジタル放送信号の伝送のために割り当てられた各々少なくとも１ビット以上のビット数を有する二つのＭＰＴＳフィールドと、通信データの伝送のために割り当てられた少なくとも１ビット以上のビット数を有する高速イーサネット（登録商標）フィールドと、を含むことを特徴とする。
【００１２】
また、本発明は、異なる同期信号が多重化された時分割多重化フレームを送信する方法であって、時分割多重化フレームに入力されるデータを所定のビット単位に分けて前記時分割多重化フレームに挿入する第１のステップと、前記挿入された所定のビット単位のデータの入力速度と多重化速度を比較して、該当速度の差を表示するためのスタッフィング制御フィールドを前記所定のビット単位の入力データごとに挿入する第２のステップと、前記スタッフィング制御フィールドの値によって、前記時分割多重化フレームの最後の伝送ビットの数を調節して伝送する第３のステップと、を含むことを特徴とする。
【００１３】
また、本発明は、複数の異なる同期信号が多重化された時分割多重化フレームを受信する方法であって、前記時分割多重化フレームに入力されて伝送されたデータの入力速度と多重化速度を比較して、該当速度の差を表示するためのスタッフィング制御フィールドを抽出し、前記受信された時分割多重化フレームに含まれたビットの数を確認する第１のステップと、前記確認したビット数に基づいて、受信された時分割多重化フレームから前記伝送されたデータを抽出する第２のステップと、を含むことを特徴とする。
【発明を実施するための最良の形態】
【００１４】
以下、本発明の好ましい実施形態を、添付図面を参照しながら詳細に説明する。尚、本発明を説明するに際して、関連した公知の機能や構成についての具体的な説明が本発明の要旨を曖昧にすると判断される場合には、その詳細な説明を省くことにする。
【００１５】
図１は本発明が適用されるＦＴＴＨ(Fiber To The Home)システムに基づいた放送通信融合システムの一実施形態の構成図である。
【００１６】
図１に示すように、本発明が適用されるＦＴＴＨ基盤の放送通信融合システムは、使用者装置とサービスノードとの間に配置されるサブシステムであるＯＬＴ(Optical Line Terminal)１１と、使用者側装置であるＯＮＴ(Optical Network Terminal)１２と、ＯＬＴ１１とＯＮＵ１２とを接続する光ケーブルと、を備える。
【００１７】
ＯＬＴ１１は、使用者装置にデジタル放送、アナログ放送、音声電話、ビデオサービス、高速インターネットなどの放送通信サービスを供給するために、放送プロバイダー及び通信プロバイダーから受信した複数の放送信号及び通信信号を相異なる波長に電光変換した後に、相異なる波長の信号を単一の光信号に多重化して伝送する。ＯＮＴ１２は、ＯＬＴ１１から受信された情報を、タイムスロット形態の信号で使用者装置に伝達する。
【００１８】
詳細には、ＯＬＴ１１は、放送信号、または通信信号を各々電光変換する複数の電光(Electrical-Optical)変換部１０１-１乃至１０１-ｎと、電光変換されたそれぞれの波長別光信号を単一の光信号に多重化して伝送する光多重化器１０２と、を備える。また、ＯＮＴ１２は、伝送された単一の光信号を複数の波長別光信号に逆多重化する逆多重化器１０３と、逆多重化器１０３から出力された光信号を放送信号、または通信信号に対応する電気信号にそれぞれ変換する光電変換部１０４-１乃至１０４-ｎと、を備える。
【００１９】
このように、放送信号と通信信号がＯＬＴからＯＮＴ１２に伝送され、また、ＯＮＴ１２は、ユーザーの所望する放送信号を選択してスイッチングした後に、ＴＤＭフレームを使用者装置（例えば、図示しないセットトップボックスやパーソナルコンピュータなど）に伝達する。
【００２０】
図２は本発明の一実施形態によるＴＤＭ（時分割多重化）フレームについての構造（フォーマット）を示す図である。
【００２１】
本実施形態は、デジタル放送ストリームである二つの２７Mbps(bits per second)ＭＰＥＧ２(Motion Picture Expert Group-2)ＴＳ(Transport Stream)と１００ＢＡＳＥ-Ｘ高速イーサネット（登録商標）(Fast Ethernet（登録商標）)を時分割多重化することができるフレーム構造である。
【００２２】
図２に示すように、本実施形態のＴＤＭフレームは、１６２Mhzで動作し、長さは３μsであり、４８６ビット(bits)で構成される。より詳細に説明すると、このＴＤＭフレームは、フレームの開始と終わりを認識（識別）できるようにするための８ビットのフレーミングビットフィールド２０１と、スクランブルのための４種類の多項式の適用を指示するための２ビットのスクランブルシードフィールド２０２と、放送ストリームを伝送するための８８ビットのＭＰＴＳ-１フィールド２０３及び８８ビットのＭＰＴＳ-２フィールド２０４と、通信データを伝送するための３００ビットの高速イーサネット（登録商標）(Fast Ethernet（登録商標）)フィールド２０５と、を含む。ここで、他の実施形態としては、スクランブルシードフィールド２０２は、本実施形態のＴＤＭフレーム中の他の情報に置き換えることができる。
【００２３】
ここで、８ビットのフレーミングビットフィールド２０１は、‘１０１０１０１０’に設定され、逆多重化段階で途切れなく供給されるフレームの開始と終わりの検出（識別）を容易に行うことを可能とし、また、光検出段階でのＣＤＲ(Clock and Data Recovery)の処理を容易に行うことを可能とする。勿論、設定値の‘１０１０１０１０’は、本実施形態中の例示に過ぎず、本発明がこれに限定されるものではない。
【００２４】
デジタル放送ストリームと高速イーサネット（登録商標）データは、連続した‘１’、あるいは連続した‘０’が多いので、それぞれ、光伝送のためのスクランブルを遂行する必要がある。本実施形態では、安定したスクランブルを行うために、スクランブルシードフィールド２０２を２ビットで構成して、４種類の多項式を順次的に使用することによって、連続した‘１’、あるいは‘０’のストリームを回避するようにする。なお、スクランブル自体については、通信技術において公知であるため、詳細な説明を省略する。
【００２５】
そして、このＴＤＭフレームでは、二つの２７MbpsのＭＰＥＧ-２ＴＳと１００ＢＡＳＥ-Ｘ高速イーサネット（登録商標）のデータを収容するために、二つの８８ビットのＭＰＴＳフィールド２０３，２０４と、３００ビットの高速イーサネット（登録商標）フィールド２０５と、を含む。
【００２６】
ここで、異なる同期信号に基づくデジタル放送のデータ（data unit）を収容するために、本実施形態では、それぞれのＭＰＴＳフィールドは、６ビットのスタッフィング制御ビットと、１個のスタッフィングビットを含む。このように構成された８８ビットのＭＰＴＳフィールドを図３に示す。
【００２７】
図３は本発明によるＴＤＭフレームで同期が異なるデジタル放送のデータ（data unit）を収容するためのＭＰＴＳフィールドの一実施形態の構造図である。
【００２８】
図３に示したように、本発明によるＭＰＴＳフィールドは、同期が相異なるデジタル放送ストリームのために使用される６個の１２ビットのデータフィールド３０１と、それぞれのデータフィールド３０１ごとに同期化の可否を判断してスタッフィングの制御を行うための６個のスタッフィング制御フィールド３０２と、剰余データフィールドとしての９ビットのデータフィールドと、この９ビットのデータフィールドで同期しなかった放送を補償するための１ビットのスタッフビットフィールド３０３と、を含んで構成される。
【００２９】
本実施形態において、スタッフィングのモードは、ノーマル、ポジティブ、ネガティブの三つのモードがある。
【００３０】
ここで、ノーマルモードは、放送信号の入力速度と多重化速度とが同じ場合であり、この場合には、最後の９ビットのデータフィールドにデータを入れ、１ビットのスタッフフィールド３０３は空けて伝送する。図３(ａ)はノーマルモードの場合を示した図である。
【００３１】
ポジティブモードは、放送信号の入力速度が多重化速度よりも速い場合であり、このモードでは、最後の９ビットのデータフィールドにデータを入れ、１ビットのスタッフフィールドにもデータを入れて１０ビットのデータフィールドを伝送する。図３(ｂ)はポジティブモードの場合を示した図である。
【００３２】
そして、ネガティブモードは、放送信号の入力速度が多重化速度よりも遅い場合であり、このモードでは、最後の９ビットのデータフィールドの８ビットのみにデータを入れ、１ビットのデータフィールドと１ビットのスタッフフィールドは空けて伝送する。図３(ｃ)はネガティブモードの場合を示した図である。
【００３３】
以上のような三つのモードの動作は、スタッフィング制御フィールド３０２により判別（区分）される。そして、本実施形態で使われるスタッフィング制御フィールド３０２のそれぞれは、ＭＰＴＳフィールドの１２ビットごとに交互に的に(Interleaved)挿入される。このような三つのモードの区分のために、１のＴＤＭフレーム内に挿入される合計６つ（６ビット）のスタッフィング制御フィールド（３０２）の値を＜表１＞に示す。
【表１】
2005218109.tif 000003
【００３４】
＜表１＞に示したような６ビットのスタッフィング制御フィールド３０２は、逆多重化を遂行する受信段階で、‘１’と‘０’の個数を用いて伝送モードを検出するため、エラーを低減することができるようになる。
【００３５】
このようなスタッフィングビットを含めて、異なる同期化クロックを有するデジタル放送信号を収容出来るように時分割多重化フレームを構成するためには、入力される複数のデジタル放送信号を時分割多重化するために、スタッフィングビットのそれぞれのデータを１２ビット単位で挿入する。このとき、それぞれの多重化時間と放送時間とを比較して、放送時間が早い場合には、スタッフィング制御フィールド３０２の値を‘１’に設定する。そして、一つのＭＰＴＳフィールド２０３,２０４内で全てのスタッフィング制御フィールド３０２の値を確認して、ポジティブモードに該当する条件(例えば、‘１’の個数が５個以上である場合)であれば、最後の１０ビットにデータを入れて伝送する。一方、ノーマルモードに該当する条件(例えば、‘１’の個数が２，３，４のいずれかの場合)であれば、最後の１０ビットを、９ビットのデータフィールドと１ビットのスタッフフィールド３０３で構成して伝送する。さらに、ネガティブモードに該当する条件(例えば、‘１’の個数が１又は０個である場合)であれば、最後の１０ビットを８ビットのデータフィールドと２ビットのスタッフフィールド３０３で構成して伝送する。
【００３６】
したがって、受信段階では、該受信側の装置は、伝達されたＭＰＴＳフィールド２０３,２０４からスタッフィング制御フィールド３０２を確認して、伝送されたモードを確認し、該当するモードによって最後の１０ビットのデータフィールドの領域を区分して処理する。
【００３７】
上述した本発明の実施形態によれば、複数のデジタル放送信号を結合して伝送するための放送通信融合システムにおいて、相異なる同期クロックに基づく複数個のデジタル放送信号を、単純な構造のフレームを使用して多重化処理を遂行することができる効果が得られる。
【００３８】
上述した本発明の実施形態では、８ビットのフレーミングフィールドと、２ビットのスクランブルシードフィールドと、２個の８８ビットのＭＰＴＳフィールドと、３００ビットの高速イーサネット（登録商標）フィールドで構成されたＴＤＭ（時分割多重化）フレームであって、かつ、８８ビットのＭＰＴＳフィールドは、６個の１２ビットのデータフィールドと、１個の９ビットのデータフィールドと、６個の１ビットのスタッフィング制御フィールドと、１ビットのスタッフフィールドと、で構成されたものについて説明した。しかしながら、これは一例に過ぎないのであって、本願出願の内容がこれに限定されるものではない。
【００３９】
すなわち、ＭＰＴＳの帯域幅と高速イーサネット（登録商標）の帯域幅によって、それぞれの割当ビットが相異なるように構成することが可能であることは、当業者には自明である。
【００４０】
また、上述した実施の形態では、一のＴＤＭ（時分割多重化）フレームに２個のＭＰＴＳフィールドを含ませた例について説明したが、本発明はこれに限定されず、ＭＰＴＳフィールドを３個以上含ませる構成としても良い。
【００４１】
以上、本発明の内容を具体的な実施形態に則して説明したが、本発明の精神及び範囲を逸脱することなく各種の追加、変更等が可能なことは、当業者にとって明らかである。したがって、本発明の範囲は、上述の実施形態に限定されるものではなく、特許請求の範囲の記載及び該記載と均等なものにより定められるべきである。
【図面の簡単な説明】
【００４２】
【図１】本発明が適用されるＦＴＴＨ基盤の放送通信融合システムの一実施形態の概要を示す構成図である。
【図２】本発明によるＴＤＭフレームについての一実施形態の構造図である。
【図３】本発明によるＴＤＭフレームで異なる同期信号に基づくデジタル放送のデータを収容するためのＭＰＴＳフィールドの一実施形態の構造図である。
【符号の説明】
【００４３】
２０１  フレーミングビットフィールド
２０３，２０４  ＭＰＴＳフィールド
２０５  高速イーサネット（登録商標）フィールド
【図１】
2005218109.tif 000004
【図２】
2005218109.tif 000005
【図３】
2005218109.tif 000006